(57)【要約】【課題】衣服や体等に付着した塵埃や花粉等がいろいろな部屋に飛散されるのを防止する。【解決手段】主吸気口としての穴５を有する本体ケース１に、副吸気口２１が形成された吸込具２０を本体ケース１に対して移動自在に設け、本体ケース１内に配備した送風機１４の駆動により、穴５と共に副吸気口２１から本体ケース１内に空気を取り入れ、この取り入れた空気をフィルター１７にて浄化して本体ケース１外に吹き出すようにする。【効果】主吸気口から空気を吸い込んで空気中の塵埃や花粉等を除去できる上に、吸込具を所望とする位置に移動させて衣服や人体等に付着した塵埃や花粉等を直接除去することができ、体や衣服に付着した塵埃や花粉等がいろいろな部屋に飛散するのを防止することができる。【選択図】      図１
2004174356.tif 000002
【特許請求の範囲】
【請求項１】
主吸気口を有する本体ケースに、副吸気口が形成された吸込具を前記本体ケースに対して移動自在に設け、本体ケース内に配備した送風機の駆動により、前記主吸気口と共に副吸気口から本体ケース内に空気を取り入れ、該取り入れた空気をフィルターにて浄化して本体ケース外に吹き出すようにしたことを特徴とする空気清浄機。
【請求項２】
前記吸込具を本体ケースの所定の位置に保持した際に、前記副吸気口からの空気の取り入れを阻止することを特徴とする請求項１に記載の空気清浄機。
【請求項３】
前記吸込具と本体ケースとを可撓性を有するホースにて接続したことを特徴とする請求項１又は請求項２に記載の空気清浄機。
【請求項４】
前記本体ケースに人体を検知する検知手段を設け、該検知手段が人体を検知した際に、前記送風機を駆動するようにしたことを特徴とする請求項１乃至請求項３に記載のいずれかに記載の空気清浄機。
【請求項５】
前記主吸気口を前記本体ケースの一側面側に設け、該一側面に設置面に沿う台部を延設したことを特徴とする請求項１乃至請求項４のいずれかに記載の空気清浄機。
【請求項６】
前記台部に重量検出手段を設け、該重量検出手段にて所定の重量を検出した際に、前記送風機を駆動するようにしたことを特徴とする請求項５に記載の空気清浄機。
【請求項７】
前記主吸気口は、前記本体ケースの前面に形成された複数の穴であることを特徴とする請求項１乃至請求項６のいずれかに記載の空気清浄機。
【発明の詳細な説明】
【０００１】
【発明の属する技術分野】
本発明は、送風機の駆動により本体ケース内に吸い込んだ空気を浄化して本体ケース外に吹き出す空気清浄機に関する。
【０００２】
【従来の技術】
従来、この種の空気清浄機として、本体ケース内に設けられた送風機の駆動によって本体ケース内に吸い込んだ空気を、集塵フィルターと脱臭フィルターとを順次通過させ、集塵フィルターで塵埃を除去すると共に脱臭フィルターで臭気成分を除去して浄化し、この浄化した空気を本体ケース外に吹き出すものが知られている（特許文献１）。
【０００３】
このような空気清浄機は、空気中に浮遊する塵埃や花粉等を空気と共に吸気口から吸い込んで除去することはできるものの、外出した人の体や衣服などに付着した塵埃や花粉等を直接的に除去することはできず、体や衣服に付着した塵埃や花粉等が部屋に飛散されるものであった。
【０００４】
【特許文献１】
特開２００２−７９０１８号公報（３頁の段落番号１７から同頁の段落番号１９及び図２）
【０００５】
【発明が解決しようとする課題】
本発明は、衣服や体等に付着した塵埃や花粉等が部屋に飛散されるのを防止できる空気清浄機を提供することを課題とする。
【０００６】
【課題を解決するための手段】
上記課題を解決するための手段は、主吸気口を有する本体ケースに、副吸気口が形成された吸込具を前記本体ケースに対して移動自在に設け、本体ケース内に配備した送風機の駆動により、前記主吸気口と共に副吸気口から本体ケース内に空気を取り入れ、この取り入れた空気をフィルターにて浄化して本体ケース外に吹き出すようにしたものである。
【０００７】
かかる構成により、主吸気口から空気を吸い込んで空気中の塵埃や花粉等を除去できる上に、吸込具を所望とする位置に移動させて衣服や人体等に付着した塵埃や花粉等を直接除去することができ、体や衣服に付着した塵埃や花粉等がいろいろな部屋に飛散するのを防止することができる。
【０００８】
上記構成において、前記吸込具を本体ケースの所定の位置に保持した際に、前記副吸気口からの空気の取り入れを阻止することで、使用しないときに吸込具から無駄な空気が吸い込まれるのを防止でき、主吸気口から効率良く吸い込むことができる。
【０００９】
そして、前記吸込具と本体ケースとを可撓性を有するホースにて接続したことで、吸込具と本体ケース間が容易に撓み、吸込具を所望とする位置へ容易に移動させることができる。
【００１０】
また、前記本体ケースに人体を検知する検知手段を設け、この検知手段が人体を検知した際に、前記送風機を駆動するようにすることで、スイッチ等を操作しなくても必要と思われるときに自動的に送風機を動作させることができる。
【００１１】
また、前記主吸気口を前記本体ケースの一側面側に設け、この一側面に設置面に沿う台部を延設することで、人が台部に乗った際に体が一側面に対向するようになって主吸気口に衣類や体が近づくようになり、衣類や体から叩き落とした塵埃や花粉等をも主吸気口から吸引して除去することができる。
【００１２】
そして、前記台部に重量検出手段を設け、この重量検出手段にて所定の重量を検出した際に、前記送風機を駆動するようにすることで、人が台部に乗るのみで特段の操作をしなくても送風機を駆動して空気中の塵埃や花粉の除去を行うことができる。
【００１３】
また、前記主吸気口を、前記本体ケースの前面に形成した複数の穴とすることで、複数の穴から衣類や体に付着した塵埃た花粉等を広範囲にわたって除去することができる。
【００１４】
【発明の実施の形態】
本発明の第１の実施の形態における空気清浄機を図１乃至図３に基づき説明する。尚、以降、前カバー３側を正面とし、後ケース２側を背面とする。
【００１５】
１は合成樹脂にて形成された空気清浄機の本体ケースで、図３に示すように正面側を開口する後ケース２と、この後ケース２の開口を着脱自在に覆う前カバー３とから構成されており、後カバー３の正面側に設置面に沿って台部４が延設されている。この本体ケース１は正面から見て幅に対して高さが高い直方体状に形成され、台部４から本体ケース１の上端までの高さが略１７０ｃｍに形成されている。前記前カバー３には主吸気口としての複数の穴５が形成されている。
【００１６】
本体ケース１内の左右方向の略中央には、軸心が略鉛直な駆動軸６配設されている。この駆動軸６の上部、下部及び中間は、後ケース２に形成した３つの軸受部７にて回動自在に枢支されている。また、駆動軸６には、上部の軸受部７と中間位置の軸受部７との間及び中間位置の軸受部７と下部の軸受部７との間に、シロッコファン８がそれぞれ取り付けられている。そして、駆動軸６の下端は、本体ケース１の背面に金具９ａにて取り付けられたモータ９の駆動軸に継ぎ手１０を介して接続され、モータ９を駆動することで、駆動軸６と共にファン８が回転する。
【００１７】
１１は後ケース２に取りつけられる渦巻き状のファンケーシングで、駆動軸６に設けられた上下のファン８を覆うようにそれぞれ設けられている。このファンケーシング１１の上面と下面にはファン８と同軸状に吸気穴１２がそれぞれ形成され、この吸気穴１２からファンケーシング１１内に空気が流入する。ファンケーシング１１の出口側は後ケース２側に位置し、後ケース２に形成された複数の排気穴１３を介して本体ケース１外と連通する。また、このファンケーシング１１は、前記駆動軸６、ファン８及びモータ９と共に送風機１４を構成する。
【００１８】
１５は送風機１４の正面側に設けられる仕切板で、背面側に窪む収納部１６が形成されている。この収納部１６には、通過する空気中の塵埃や花粉等を除去するフィルター１７が着脱自在に装着される。
【００１９】
１８は本体ケース１の側面に形成したスイッチで、このスイッチ１８の操作により送風機１４のモータ９の動作と停止が切り換えられる。
【００２０】
１９は本体ケース１のスイッチ１８と反対側に設けられたリング状の保持部で、内径を後述するホース２５の外径より大きく、且つ、後述する吸込具２０の吸気部２２の外径より小さく形成している。
【００２１】
２０は複数の穴からなる副吸気口２１を有する吸込具で、副吸気口２１が形成された吸気部２２の下方に吸気部２２より径小に形成された円筒状の接続部２３が設けられ、吸気部２２に取手２４が形成されている。この吸込具２０は本体ケース１の側面に形成されたリング状の保持部１９に吸気部２２の下端を引っ掛けるようにして支持される。
【００２２】
２５は可撓性を有するホースで、一端側を吸込具２０の接続部２３に接続され、他端を本体ケース１の正面に形成した継ぎ手２６に接続される。これにより、吸込具２０が本体ケース１内のフィルター１７の上流側に接続される。このホース２５は、吸込具２０を保持部１９に支持した位置から所定の範囲を移動できるように余裕を持った長さに形成されており、図１に示すように吸込具２０を保持部１９に支持した際にＵ字状に撓む状態となる。
【００２３】
上記構成の空気清浄機は、スイッチ１８を操作すると送風機１４のモータ９が駆動され、ファン８の回転により本体ケース１のフィルター１７の上流側には、本体ケース１の主吸気口としての穴５から空気が吸い込まれると共に、吸込具２０の副吸気口２１からホース２５を介して空気が吸い込まれる。フィルター１７の上流側に吸い込まれた空気はフィルター１７を通過し、空気中の前記粉塵や花粉等が除去されて浄化される。この浄化された空気はファンケーシング１１を介して複数の排気穴１３から本体ケース１外に吹き出される。
【００２４】
この状態で使用者が台部４に乗ると、体が穴５が形成された正面に近づくようになり、衣服や体から飛散する塵埃や花粉等が穴５から吸い込まれやすくなる。そして、衣類や体を叩くと頑固に付着した塵埃や花粉等が叩き落され、この叩き落された塵埃や花粉等が穴５から吸い込まれるようになる。これにより、使用者の衣類や人体に付着した塵埃や花粉等を効率的に除去できるので、使用者が移動しても移動した場所で衣類や人体に付着した塵埃や花粉等が飛散されるのを防止することができる。
【００２５】
更に、保持部１９に支持された吸込具２０の取手２４を持って人体や衣類に近づけると、衣類や人体に付着した塵埃や花粉等が吸込具２０の副吸気口２１から吸い込まれる空気の流れに乗って吸込具２０内に吸い込まれる。吸込具２０内に吸い込まれた空気はホース２５を介して本体ケース１のフィルター１７の上流側に吸い込まれる。そして、この空気はフィルター１７を通過する際に、空気中の塵埃や花粉等が除去されて浄化され、穴５から吸い込まれて浄化された空気と共にファンケーシング１１に案内され、排気穴１３から本体ケース１外に吹き出される。
【００２６】
このように、主吸気口となる穴５からのみではなく、吸込具２０を使って使用者の所望する衣類や体の箇所における塵埃や花粉等を除去することができるので、除去し難い箇所でも吸込具２０を使用して除去することができる。したがって、より効果的に使用者の衣類や体に付着する塵埃や花粉等を除去でき、部屋に衣類や体に付着した塵埃や花粉等が飛散されるのをより確実に防止することができる。
【００２７】
また、吸込具２０と本体ケース１とを可撓性を有するホース２５で接続するようにしたことで、吸込具２０を、ホース２５を撓ませることで所望とする位置へ容易に移動させることができ、使い勝手を向上できる。
【００２８】
また、この実施の形態では、本体ケース１の高さを台部４から本体ケース１の状態までの高さを略１７０ｃｍとしたことで、大半の人が台部４に乗っても体全体が主吸気口を形成した本体ケース１の正面に対向するようになり、使用者の衣服や体に付着した塵埃や花粉等を除去することができる。
【００２９】
尚、上記第１の実施の形態では、スイッチ１８により送風機を駆動するようにしたが、本体ケース１に人体を検知する検知手段として人体センサを設け、使用者が本体ケースの正面に所定の距離まで近づいた際に送風機１４が駆動されるようにしても良い。
【００３０】
この場合、本体ケース１の所定の位置まで近づくことにより、特段の操作をしなくても自動的に送風機１４を駆動でき、衣類に付着した塵埃や花粉等を除去することができるので、使い勝手を向上できる。
【００３１】
また、正面側に延設した台部４に、重量検出手段としての重量センサを設け、この重量センサで検出した重量が所定値以上になった際に、送風機１４を動作させるようにしてもよい。
【００３２】
この場合、人体を検知する手段を設けた場合と同様に、特段の操作をしなくても自動的に送風機１４を駆動でき、衣類に付着した塵埃や花粉等を除去することができるので、使い勝手を向上できる。
【００３３】
また、送風機１４の駆動時に副吸込口２１から常時空気が取り入れられるようにしたが、吸込具２０を本体ケース１の保持部１９に保持した際に、継ぎ手２６内の空気の通路を塞ぐ等して空気の取り入れを阻止するようにすれば、吸込具２０を保持したままで使用しない場合に、吸込具２０から空気が吸い込まれるのを防止でき、主吸気口から効率良く吸い込むことができる。
【００３４】
また、図５に示す第２の実施の形態の如く、本体ケース１の側面に、筒状の収納部３０を設け、この収納部３０の上端に吸込具２０が支持されるようにすると共に、収納部３０内にホース２５が収納されるようにし、外観が向上するようにしても良い。
【００３５】
【発明の効果】
本発明の請求項１によれば、本体ケースの主吸気口から吸い込んだ空気中の塵埃や花粉等をフィルターで除去できる上に、吸込具を移動させて衣類や体に付着した塵埃や粉塵等を直接除去することもでき、体や衣服に付着した塵埃や花粉等がいろいろな部屋に飛散するのを防止することができる。
【００３６】
本発明の請求項２によれば、吸込具を使用しないときには本体ケースの所定の位置に保持することで、吸込具から空気が吸い込まれるのを防止でき、主吸気口から効率良く吸い込むことができる。
【００３７】
本発明の請求項３によれば、吸込具を所望とする位置へ容易に移動させることができ、使い勝手を向上できる。
【００３８】
本発明の請求項４によれば、使用者が本体ケースに近づくのみで特段の操作をしなくても送風機を駆動して塵埃や花粉の除去を行うことができ、使い勝手を向上できる。
【００３９】
本発明の請求項５によれば、使用者が台部に乗ることで、体が主吸気口に近づくので、衣類や体から叩き落とした塵埃や花粉等をも主吸気口から吸い込んで除去することができる。
【００４０】
本発明の請求項６によれば、使用者が台部に乗るのみで特段の操作をしなくても送風機を駆動して塵埃や花粉の除去を行うことができ、使い勝手を向上できる。
【００４１】
本発明の請求項７によれば、複数の穴から衣類や体に付着した塵埃た花粉等を広範囲にわたって除去することができる。
【図面の簡単な説明】
【図１】本発明の第１の実施の形態を示す空気清浄機の正面図である。
【図２】図１におけるＡＢＣＤ断面図である。
【図３】同空気清浄機の側面断面図である。
【図４】図１におけるＥ−Ｅ断面図である。
【図５】本発明の第２の実施の形態を示す空気清浄機の斜視図である。
【符号の説明】
１        本体ケース
４        台部
５        穴（主吸気口）
１４        送風機
１７        フィルター
１９        保持部
２０        吸込具
２１        副吸気口
２５        ホース
【図１】
2004174356.tif 000003
【図２】
2004174356.tif 000004
【図３】
2004174356.tif 000005
【図４】
2004174356.tif 000006
【図５】
2004174356.tif 000007